【手続補正書】
【提出日】平成26年3月4日(2014.3.4)
【手続補正１】
【補正対象書類名】明細書
【補正対象項目名】００１５
【補正方法】変更
【補正の内容】
【００１５】
（画素構成）
駆動基板１０は、上記複数の画素を駆動する画素駆動回路（後述）およびトランジスタ等が設けられた回路基板である。この駆動基板１０では、例えばガラスまたはプラスチックよりなる透明な基板１１上に、トランジスタ部１２Ａ（後述のトランジスタＴｒ１，Ｔｒ２に相当）および容量部１２Ｂ（後述の容量素子Ｃｓに相当）を有している。トランジスタ部１２Ａでは、例えば基板１１上にゲート電極１２０、ゲート絶縁膜１３ａ、半導体層１２２、層間絶縁膜１３ｂおよびソース・ドレイン電極１２１がこの順に積層されている。このソース・ドレイン電極１２１は、層間絶縁膜１３ｃにより覆われており、層間絶縁膜１３ｃに設けられたコンタクトホールを介して第１電極１７（アノード）と電気的に接続されている。尚、画素回路の構成については後述する。
【手続補正２】
【補正対象書類名】明細書
【補正対象項目名】００３４
【補正方法】変更
【補正の内容】
【００３４】
その後、走査線駆動回路５３が、走査線ＷＳＬの電圧を電圧Ｖonから電圧Ｖoffへと下
げる。これにより、書き込みトランジスタＴｒ１がオフ状態となるため、駆動トランジスタＴｒ２のゲートがフローティング状態となる。この結果、駆動トランジスタＴｒ２のゲート・ソース間電圧Ｖｇｓが一定に保持された状態で、駆動トランジスタＴｒ２のドレイン・ソース間に電流Ｉｄｓが流れる。これにより、有機ＥＬ素子（ＯＬＥＤ）のアノード電圧が、所定の閾値電圧よりも大きくなり、有機ＥＬ素子のアノード−カソード間には、補助容量素子Ｃｓに保持された映像信号電圧、即ち駆動トランジスタＴｒ２におけるゲート・ソース間電圧Ｖｇｓに応じた電流Ｉｄｓが流れ、有機ＥＬ素子（ＯＬＥＤ）が発光する。
【手続補正３】
【補正対象書類名】明細書
【補正対象項目名】００３７
【補正方法】変更
【補正の内容】
【００３７】
（比較例）
図４は、比較例に係る有機ＥＬ表示装置（有機ＥＬ表示装置１００）の断面構造を表したものである。有機ＥＬ表示装置１００は、本実施の形態の有機ＥＬ表示装置１と同様、ボトムエミッション方式により発光がなされると共に、カラーフィルタが駆動基板側に設けられた構造を有している。具体的には、透明な基板１０１上に、トランジスタ部１０２Ａおよび容量部１０２Ｂを有する駆動基板１００ａ上に、顔料を含むカラーフィルタ１０４が設けられ、これらが平坦化膜１０５によって平坦化されている。トランジスタ部１０２Ａは、ゲート電極１０２０、ゲート絶縁膜１０３ａ、半導体層１０２２、層間絶縁膜１０３ｂおよびソース・ドレイン電極１０２１がこの順に積層されたものである。ソース・ドレイン電極１０２１は、層間絶縁膜１０３ｃにより覆われている。平坦化膜１０５上には、アノードとしての第１電極１０６が配設されている。第１電極１０６上の画素分離膜１０７の開口部分に有機ＥＬ層１０８が形成され、この有機ＥＬ層１０８上にカソードとしての第２電極１０９が設けられている。このように、有機ＥＬ表示装置１００では、カラーフィルタ１０４が、トランジスタ部１０２Ａおよび容量部１０２Ｂに対向する領域において、層間絶縁膜１０３ｂなどの誘電体上に設けられた構造となっている。
【手続補正４】
【補正対象書類名】明細書
【補正対象項目名】００３８
【補正方法】変更
【補正の内容】
【００３８】
このように、駆動基板１００ａ側にカラーフィルタ１０４が設けられている場合、画素回路にカラーフィルタ１０４による等価回路が形成され、図５に示したような回路構成となる。即ち、書き込みトランジスタＴｒ１，駆動トランジスタＴｒ２、有機ＥＬ素子（ＯＬＥＤ）、保持容量素子Ｃｓを含む画素回路（画素回路５０Ａ）の保持電圧部（図中のＣ点）に、カラーフィルタ等価回路５０Ｂが接続されたような回路構成となる。映像表示の際には、上述のように、映像信号電圧に応じて駆動トランジスタＴｒ２におけるゲート・ソース間電圧Ｖｇｓが決定され、このゲート・ソース間電圧Ｖｇｓに応じた駆動電流が有機ＥＬ層に供給されることで発光が起こるが、上記のようなカラーフィルタ等価回路５０Ｂが形成されると、次のような不具合が生じる。
【手続補正５】
【補正対象書類名】明細書
【補正対象項目名】００４７
【補正方法】変更
【補正の内容】
【００４７】
以上説明したように、本実施の形態では、駆動基板１０側にカラーフィルタ１５を有する構造において、有機ＥＬ層１９へ駆動電流を供給するための第１電極１７および第２電極２０に加え、第３電極１４を設けた構造となっている。これにより、カラーフィルタ１５に起因して誘電正接が生じた場合であっても、第１電極１７と第３電極１４との電気的遮蔽効果によって、画素回路５０における保持電位の変動を抑制できる。よって、カラーフィルタによる画素回路への電気的影響を緩和して表示画質の劣化を抑制することが可能となる。
【手続補正６】
【補正対象書類名】明細書
【補正対象項目名】００５１
【補正方法】変更
【補正の内容】
【００５１】
このように、第３電極１４に対して映像信号電位とは異なる固定電位Ｖ２を供給した場合であっても、上記第１の実施の形態と同様、カラーフィルタ１５に起因して誘電正接（および光電効果による誘電正接の増大）が生じた場合であっても、第３電極１４と第１電極１７との遮蔽効果により、Ｃ点における電位を変動させることがない。よって、上記第１の実施の形態とほぼ同等の効果を得ることができる。但し、第１電極１７と第３電極１４とを等電位とする上記第１実施の形態の方が、上述のようにキャリアや不純物イオン等の移動を抑制できるため、画素回路５０における保持電位の変動をより効果的に抑制することができる。
【手続補正７】
【補正対象書類名】明細書
【補正対象項目名】００６４
【補正方法】変更
【補正の内容】
【００６４】
本実施の形態では、この第１電極３０上に、第２電極３３（対向電極）が設けられており、これらの第１電極３０および第２電極３３間に液晶層３２が封止されている。第１電極３０および第２電極３３の液晶層３２側の面にはそれぞれ、配向膜３１ａ，３１ｂが形成されている。第２電極３３上には対向基板３４を介して偏光板３５Ｂが貼り合わせられ、基板１１の下面には、偏光板３５Ａが貼り合わせられている。また、偏光板３５Ａの下方には、バックライト３６を備えている。
【手続補正８】
【補正対象書類名】明細書
【補正対象項目名】００６５
【補正方法】変更
【補正の内容】
【００６５】
配向膜３１ａ，３１ｂは、液晶層３２内の液晶分子（詳細には配向膜３１ａ，３１ｂ近傍の液晶分子）の配向状態を制御するものである。このような配向膜３１ａ，３１ｂとしては、例えば液晶層３２に、ＶＡ（Vertical Alignment：垂直配向）モードにより駆動される液晶を用いた場合には、例えばポリイミドやポリシロキサン等の垂直配向膜が用いられる。
【手続補正９】
【補正対象書類名】明細書
【補正対象項目名】００６９
【補正方法】変更
【補正の内容】
【００６９】
バックライト３６は、液晶層３２へ向けて光を照射する光源であり、例えばＬＥＤ（Light Emitting Diode）やＣＣＦＬ（Cold Cathode Fluorescent Lamp）等を複数含むものである。このバックライト３６は、後述のバックライト駆動部６３によって駆動されるようになっている。
【手続補正１０】
【補正対象書類名】明細書
【補正対象項目名】００７１
【補正方法】変更
【補正の内容】
【００７１】
タイミング制御部６４は、走査線駆動回路６２および信号線駆動回路６１の駆動タイミングを制御すると共に、入力される映像信号Ｄinを信号線駆動回路６１へ供給するものである。走査線駆動回路６２は、タイミング制御部６４によるタイミング制御に従って、各画素を線順次駆動するものである。信号線駆動回路６１は、各画素へそれぞれ、タイミング制御部６４から供給される映像信号Ｄinに基づく映像電圧を供給するものである。具体的には、映像信号Ｄinに対してＤ／Ａ（デジタル／アナログ）変換を施すことにより、アナログ信号である映像信号を生成し、画素へ出力する。
【手続補正１１】
【補正対象書類名】明細書
【補正対象項目名】００９５
【補正方法】変更
【補正の内容】
【００９５】
但し、本実施の形態では、上記第５の実施の形態と異なり、駆動基板１０上において、第３電極が、カラーフィルタ１５の下層ではなく、その上層に、カラーフィルタ１５に対向するように設けられている。具体的には、平坦化膜１６上に配設された電極層４７が、共通電極として機能する部分（第２電極４７Ａ）と、カラーフィルタ１５を電気的に遮蔽する部分（第３電極４７Ｂ）とを有している（電極層４７が第２電極４７Ａと第３電極４７Ｂとに分離されている）。
【手続補正１２】
【補正対象書類名】明細書
【補正対象項目名】０１００
【補正方法】変更
【補正の内容】
【０１００】
（モジュール）
上記表示装置は、例えば図２０に示したようなモジュールとして、後述の適用例１〜５などの種々の電子機器に組み込まれる。このモジュールは、例えば、駆動基板１０の一辺に、封止用基板２２（対向基板３４）から露出した領域２１０を設け、この露出した領域２１０に、信号線駆動回路５１（６１）、電源線駆動回路５２および走査線駆動回路５３（走査線駆動回路６２）の配線を延長して外部接続端子（図示せず）を形成したものである。この外部接続端子には、信号の入出力のためのフレキシブルプリント配線基板（ＦＰＣ；Flexible Printed Circuit）２２０が設けられていてもよい。
【手続補正１３】
【補正対象書類名】明細書
【補正対象項目名】０１０１
【補正方法】変更
【補正の内容】
【０１０１】
（適用例１）
図２１は、適用例１に係るテレビジョン装置の外観を表したものである。このテレビジョン装置は、例えば、フロントパネル３１０およびフィルターガラス３２０を含む映像表示画面部３００を有しており、この映像表示画面部３００が、上記実施の形態等に係る表示装置に相当する。
【手続補正１４】
【補正対象書類名】明細書
【補正対象項目名】０１０２
【補正方法】変更
【補正の内容】
【０１０２】
（適用例２）
図２２は、適用例２に係るデジタルカメラの外観を表したものである。このデジタルカメラは、例えば、フラッシュ用の発光部４１０、表示部４２０、メニュースイッチ４３０およびシャッターボタン４４０を有しており、その表示部４２０が、上記実施の形態等に係る表示装置に相当する。
【手続補正１５】
【補正対象書類名】明細書
【補正対象項目名】０１０３
【補正方法】変更
【補正の内容】
【０１０３】
（適用例３）
図２３は、適用例３に係るノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態等に係る表示装置に相当する。
【手続補正１６】
【補正対象書類名】明細書
【補正対象項目名】０１０４
【補正方法】変更
【補正の内容】
【０１０４】
（適用例４）
図２４は、適用例４に係るビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、その表示部６４０は、上記実施の形態等に係る表示装置に相当する。
【手続補正１７】
【補正対象書類名】図面
【補正対象項目名】全図
【補正方法】変更
【補正の内容】
【図１】
2012208421.tif 000001
【図２】
2012208421.tif 000002
【図３】
2012208421.tif 000003
【図４】
2012208421.tif 000004
【図５】
2012208421.tif 000005
【図６】
2012208421.tif 000006
【図７】
2012208421.tif 000007
【図８】
2012208421.tif 000008
【図９】
2012208421.tif 000009
【図１０】
2012208421.tif 000010
【図１１】
2012208421.tif 000011
【図１２】
2012208421.tif 000012
【図１３】
2012208421.tif 000013
【図１４】
2012208421.tif 000014
【図１５】
2012208421.tif 000015
【図１６】
2012208421.tif 000016
【図１７】
2012208421.tif 000017
【図１８】
2012208421.tif 000018
【図１９】
2012208421.tif 000019
【図２０】
2012208421.tif 000020
【図２１】
2012208421.tif 000021
【図２２】
2012208421.tif 000022
【図２３】
2012208421.tif 000023
【図２４】
2012208421.tif 000024
【図２５】
2012208421.tif 000025